(57)【要約】【課題】揮発性の液体の温度変化による蒸気圧変化に起因した液体移動により生じる反復運動を利用して、使いやすく、かつ、用途をより拡大できるコップの要らない反復運動体を提供するものである。【解決手段】管状の首部の一端は内部に揮発性の液体を密封した胴部に挿入定着され、該首部の他端はふくれた頭部になっており、かつ、該首部沿って液体を入れる容器が装着され、さらに、その液体を頭部近傍に導く導液材を設けたことを特徴とする従来のようにはコップが要らない反復運動体とした。【選択図】  図２
2004255045.tif 000002
【特許請求の範囲】
【請求項１】
管状の首部の一端は内部に揮発性の液体を密封した胴部に挿入定着され、該首部の他端はふくれて閉じられた頭部になっており、かつ該首部の近傍に液体を入れる容器が装着され、さらにその液体を頭部に導く導液材を設けたことを特徴とする反復運動体。
【発明の詳細な説明】
【０００１】
【発明が属する技術分野】
本発明は、揮発性の液体の温度変化による蒸気圧変化に起因した液体移動により生じる反復運動を生じる反復運動体に関し、その取扱を簡単にするとともに、その用途をより拡大するための構造に関するものである。
【０００２】
【従来の技術】
従来、この種の反復運動体としてよく知られている反復運動玩具は、揮発性の液体の蒸気圧変化を生じさせるために、頭部に付けたくちばしをその下に置いたコップ中の水に漬け、頭部を冷やすことによって生じさせている（例えば、実用新案文献１参照。）。すなわち、必ずコップが必要である。
【実用新案文献１】実公昭２７−３９１２号公報（第１頁、第１図）
【０００３】
【発明が解決しようとする課題】
上記のようにコップが不可欠であると以下のような問題が残る。
まず、反復運動体本体とコップの２物体が必要であり、コップの高さ調整が反復運動体の動きに微妙に影響するが、低学年生ではコップの高さ合わせが困難である。
次に、反復運動体の前面にコップという障害物があることやコップの水がこぼれても良いところでしか使用できないという欠点があり、市販されている水飲み鳥のごとき装飾的玩具のようなごく限られた用途にしか採用できていない。
【０００４】
本発明は、上記のような従来の欠点を解消し、使いやすくかつ用途をより拡大できるコップの要らない反復運動体を提供するものである。
【０００５】
【課題を解決する手段】
上記の課題を解決するための本発明は、請求項１に記載したように、管状の首部の一端は内部に揮発性の液体を密封した胴部に挿入定着され、該首部の他端はふくれて閉ざされた頭部になっており、かつ該首部には液体を入れる容器が固定され、さらにその液体を頭部に導く導液材を設けたことを特徴とする反復運動体である。
また、反復運動体の首部には広告等を取り付けることができる。
【０００６】
すなわち、請求項１記載の発明は、液体を入れる容器を管状の首部の近傍に装着する液体容器内の液体を導液材で毛細管現象を利用して頭部に導くようにしたので、液体を供給するためのコップが不要になる。頭部には吸水性の布が取り付けてあるので液体は頭部全体に素早く広がる。
液体の入った容器の入口は小さいので不要に蒸発しないし、倒れても液体は殆どこぼれることがない。従って低学年生でも容易に取り扱うことができる。
導液材は小径の容器の入口より底部まで挿入しているので、液体は全くなくなるまで吸い上げられる。液体の注入は、注射針とかスポイドを使うと入れやすい。なお、胴部に密封した揮発性の液体とは、例えばエーテルのように常温以下で揮発しやすいものであ。
また、首部に沿って液体を入れる容器内の液体とは、水、アルコール、ブランデー、香水などである。
また、導液材とは、繊維や毛細管現象を利用可の材料である。
【０００７】
首部および可動部には広告を取り付けることが可能であり、宣伝用として利用することができる。反復運動体の前面にコップがないのでよく見え効果的な宣伝ができ、かつ可動部の動きを動力として利用することも可能である。
【０００８】
【発明の実施の形態】
以下に添付図面を参照して、更に説明するが、本発明はこれに限定されるものではない。
【０００９】図１は従来のものであり、例えば市販されている水飲み鳥のように反復運動体本体と水８の入ったコップ７から構成されている。反復運動体は頭部１、頭部１に取り付けられたくちばし５、首部３、エーテル４を密封した胴部２、これらを支点１５で支える支持台５で構成されており、次のような形で反復運動する。
【００１０】
コップ７内の水８に浸けることにより、頭部１が水の気化熱で冷やされ、頭部１の蒸気圧が胴部２の蒸気圧より低くなり、胴部２内のエーテルが長い首部３内を押し上げられる。エーテルがより押し上げられると支点１５より左が重くなり、支点１５を中心に左へ重力で回転する。約９０度傾くとパイプ下部がエーテル液面より上になり、胴部２の蒸気圧は首部３を通って頭部１へ一気に上がって、胴部２の蒸気圧は下がる。するとエーテルが胴部２へ一気に戻るので、支点１５の右側が重くなり右回転する。水が供給される限りこの反復運動は続く。
【００１１】図２本発明のコップの要らない反復運動体である（水飲み鳥ではなく水かぶり鳥と言ってもよい）。コップ７の代わりに首部３の外面に液体の入った容器９を取り付けており、導液材１０の毛細管現象により液体の入った容器９から頭部１に液体１１を導く。反復運動をする原理は従来品と同じであるが、断続的にコップから水を頭部に供給する従来品と比べ、本発明品では連続的に頭部に液体が供給されるため安定した反復運動ができる。
【００１２】また、図２はその首部３に広告１２をぶら下げた状態を示している。従来品のようなコップがないので、前面からよく見える。さらに、くちばしを必要としないので、鳥の顔だけでなく、狐や狸、人の顔等々いろいろなキャラクター１３が採用出来る。
【００１３】図３は本発明品のもう一つの実施例であり、首部３の外周に液体の入った容器９を取り付けたものである。
【００１４】
【発明の効果】
本発明は、以上説明したように構成されているので、以下に記載されるような効果を奏する。
１）首部に取り付けた容器に液体を注ぐだけで動きだすので、子供から老人まで確実に動かすことが可能である。
２）容器の入口が小さいので、液体が不要に蒸発しないし、また導液材で容器内の液体が最後の一滴まで連続的に頭部に供給されるので長時間安定した反復運動ができる。前記の実施例（図２）では、内容積５ｃｃの容器に液体（水道水）を満タンにすると、屋内や屋外の太陽光の下でも約１０時間スムーズに動き続けた。
３）コップやくちばしがないので、任意の広告を首部に取り付けることができ、効果的な宣伝ができ、またその動きを動力源としての活用が可能である。
【００１５】
【図面の簡単な説明】
【図１】従来の水飲み鳥（反復運動体）の全体構造図で、内部透視の側面図
【図２】本発明の反復運動体の全体構造図で、内部透視の側面図  その１
【図３】本発明の反復運動体の全体構造図で、内部透視の側面図  その２
【符号の説明】
１．頭部
２．胴部
３．首部
４．エーテルや塩化メチレンなど低温で気化しやすい液体
５．くちばし
６．支持台
７．コップ
８．水
９．容器  その１
１０．導液材
１１．液体
１２．標語付き広告
１３．キャラクター
１４．容器  その２
１５．支点
【図１】
2004255045.tif 000003
【図２】
2004255045.tif 000004
【図３】
2004255045.tif 000005